(57)【要約】【課題】移動通信システムにおいて、緊急通話の呼び戻しを確実に成功させること。【解決手段】基地局１２Ａ−１は、管理サーバ１６に緊急通話の切断を通知する。管理サーバ１６は、該通知に基づいて緊急通話が切断された移動端末２０の位置登録エリアを特定し、特定した位置登録エリアに属する基地局１２Ａ−１および１２Ａ−２に、緊急通話の呼び戻しに割り当てる回線を保留するよう指示する。各基地局１２Ａ−１および１２Ａ−２は、該回線保留指示に基づいて、緊急通話の呼び戻しに割り当てる回線を保留する。【選択図】図４
2008211532.tif 000002
【特許請求の範囲】
【請求項１】
複数の基地局装置と、移動端末からの位置登録要求に基づいて該移動端末が所在する位置登録エリアを管理する管理サーバ装置と、を含む移動通信システムであって、
前記各基地局装置は、前記管理サーバ装置に緊急通話の切断を通知する緊急通話切断通知手段を含み、
前記管理サーバ装置は、前記緊急通話切断通知手段による通知に基づいて、前記緊急通話が切断された移動端末の位置登録エリアを特定する端末位置特定手段と、
前記端末位置特定手段により特定される位置登録エリアに属する基地局装置に、前記緊急通話の呼び戻しに割り当てる回線の保留を指示する回線保留制御手段と、を含み、
前記各基地局装置は、前記回線保留制御手段による回線保留指示に基づいて、前記緊急通話の呼び戻しに割り当てる回線を保留する回線保留手段をさらに含む、
ことを特徴とする移動通信システム。
【請求項２】
請求項１に記載の移動通信システムにおいて、
前記各基地局装置は、前記回線保留制御手段による回線保留指示に基づいて、前記緊急通話が切断された移動端末が自無線ゾーンに在圏するか否かを確認する端末在圏確認手段をさらに含み、
前記回線保留手段は、前記端末在圏確認手段により前記緊急通話が切断された移動端末が自無線ゾーンに在圏することが確認された場合に、前記緊急通話の呼び戻しに割り当てる回線を保留する、
ことを特徴とする移動通信システム。
【請求項３】
請求項１または２に記載の移動通信システムにおいて、
前記回線保留制御手段は、前記緊急通話が切断された移動端末からの位置登録要求に応じて、該移動端末の新たな位置登録エリアに属する基地局装置に、前記緊急通話の呼び戻しに割り当てる回線の保留を指示する、
ことを特徴とする移動通信システム。
【請求項４】
請求項３に記載の移動通信システムにおいて、
前記回線保留制御手段は、前記位置登録要求前から前記緊急通話の呼び戻しに割り当てる回線を保留している基地局装置に、該回線の保留解除をさらに指示する、
ことを特徴とする移動通信システム。
【請求項５】
請求項１から４のいずれかに記載の移動通信システムにおいて、
前記回線保留制御手段は、前記緊急通話切断通知手段による通知から所定時間経過後に、前記緊急通話の呼び戻しに割り当てる回線を保留している基地局装置に、該回線の保留解除を指示する、
ことを特徴とする移動通信システム。
【請求項６】
複数の基地局装置それぞれと通信可能に接続され、移動端末からの位置登録要求に基づいて該移動端末が所在する位置登録エリアを管理する管理サーバ装置であって、
前記各基地局装置から通知される緊急通話の切断通知に基づいて、前記緊急通話が切断された移動端末の位置登録エリアを特定する端末位置特定手段と、
前記端末位置特定手段により特定される位置登録エリアに属する基地局装置に、前記緊急通話の呼び戻しに割り当てる回線の保留を指示する回線保留制御手段と、
を含むことを特徴とする管理サーバ装置。
【請求項７】
移動端末からの位置登録要求に基づいて該移動端末が所在する位置登録エリアを管理する管理サーバ装置と通信可能に接続される基地局装置であって、
前記管理サーバ装置に緊急通話の切断を通知する緊急通話切断通知手段と、
前記管理サーバ装置からの回線保留指示に基づいて、前記緊急通話の呼び戻しに割り当てる回線を保留する回線保留手段と、
を含むことを特徴とする基地局装置。
【請求項８】
移動端末から発信された緊急通話が切断された場合に、該緊急電話の呼び戻しに割り当てる回線を保留するための回線保留方法であって、
前記緊急通話が切断された移動端末の位置登録エリアを特定する端末位置特定ステップと、
前記端末位置特定ステップで特定される位置登録エリアに属する基地局装置に、前記緊急通話の呼び戻しに割り当てる回線の保留を指示する回線保留指示ステップと、
を含むことを特徴とする回線保留方法。
【発明の詳細な説明】
【技術分野】
【０００１】
本発明は、移動通信システム、管理サーバ装置、基地局装置、および回線保留方法に関し、特に、犯罪・事故・火災・救急の通報などに利用される緊急通話が切断された後の呼び戻しに関する技術である。
【背景技術】
【０００２】
電話サービスの１つに、犯罪・事故・火災・救急などの通報に利用される緊急通話がある。ＰＨＳ（Personal Handyphone System）などの移動通信システムでは、移動端末から発信された緊急通話が切断された際、当該緊急通話の着信側（警察、海上保安庁、消防署など）からの呼び戻しが確実に成功するよう、その呼び戻しに割り当てるための回線が基地局内で一定期間保留されるようになっている。
【０００３】
たとえば、下記特許文献１には、移動通信による緊急通話が切断された場合に、基地局〜移動通信用交換機間の所定チャネルを緊急通話用にリザーブし、着信側から発信側への再呼出しを正確に行うことができる再呼出し処理方式が開示されている。
【特許文献１】特開平７−２５４９３３号公報
【発明の開示】
【発明が解決しようとする課題】
【０００４】
しかしながら、上記従来の移動通信システムでは、緊急通話の切断により保留される回線は、発信元の移動端末が接続していた基地局から交換機までの回線に限られる。このため、相手側から呼び戻しがあった際に、移動端末が当該基地局とは別の基地局配下に移動していた場合、移動先の基地局において必ずしも空き回線があるとは限らず、緊急通話の呼び戻しに失敗する場合があった。
【０００５】
本発明は、上記従来の課題に鑑みてなされたものであり、緊急通話の呼び戻しを確実に成功させることができる移動通信システム、管理サーバ装置、基地局装置、および回線保留方法を提供することを目的とする。
【課題を解決するための手段】
【０００６】
上記課題を解決するために、本発明に係る移動通信システムは、複数の基地局装置と、移動端末からの位置登録要求に基づいて該移動端末が所在する位置登録エリアを管理する管理サーバ装置と、を含む移動通信システムであって、前記各基地局装置は、前記管理サーバ装置に緊急通話の切断を通知する緊急通話切断通知手段を含み、前記管理サーバ装置は、前記緊急通話切断通知手段による通知に基づいて、前記緊急通話が切断された移動端末の位置登録エリアを特定する端末位置特定手段と、前記端末位置特定手段により特定される位置登録エリアに属する基地局装置に、前記緊急通話の呼び戻しに割り当てる回線の保留を指示する回線保留制御手段と、を含み、前記各基地局装置は、前記回線保留制御手段による回線保留指示に基づいて、前記緊急通話の呼び戻しに割り当てる回線を保留する回線保留手段をさらに含む、ことを特徴としている。
【０００７】
本発明によれば、移動端末から発信された緊急通話が切断されると、緊急通話が切断された移動端末の現在の位置登録エリア（一斉呼出エリアともいう。）が特定され、その位置登録エリアに属するすべての基地局装置に対して、当該緊急通話の呼び戻しに備えて回線を保留するよう指示が出される。このため、緊急通話の切断後に、発信元であった移動端末がどこに移動しようとも、その緊急通話の呼び戻しは確実に成功するようになる。
【０００８】
また、本発明の一態様では、前記各基地局装置は、前記回線保留制御手段による回線保留指示に基づいて、前記緊急通話が切断された移動端末が自無線ゾーンに在圏するか否かを確認する端末在圏確認手段をさらに含み、前記回線保留手段は、前記端末在圏確認手段により前記緊急通話が切断された移動端末が自無線ゾーンに在圏することが確認された場合に、前記緊急通話の呼び戻しに割り当てる回線を保留する。この態様によれば、緊急通話が切断された移動端末を呼び出せる基地局装置だけが回線を保留するため、同一位置登録エリア内での回線リソースの低下を最小化することができる。
【０００９】
また、本発明の一態様では、前記回線保留制御手段は、前記緊急通話が切断された移動端末からの位置登録要求に応じて、該移動端末の新たな位置登録エリアに属する基地局装置に、前記緊急通話の呼び戻しに割り当てる回線の保留を指示する。この態様によれば、緊急通話の切断後に、発信元であった移動端末が切断時に所在していた位置登録エリアとは別の位置登録エリアに移動しても、その緊急通話の呼び戻しは確実に成功するようになる。
【００１０】
この態様では、前記回線保留制御手段は、前記位置登録要求前から前記緊急通話の呼び戻しに割り当てる回線を保留している基地局装置に、該回線の保留解除をさらに指示してもよい。こうすれば、緊急通話の発信元であった移動端末が別の位置登録エリアに移動すると、自動的に移動元の位置登録エリアにおける回線の保留が解除されるため、回線リソースの低下を防ぐことができる。
【００１１】
また、本発明の一態様では、前記回線保留制御手段は、前記緊急通話切断通知手段による通知から所定時間経過後に、前記緊急通話の呼び戻しに割り当てる回線を保留している基地局装置に、該回線の保留解除を指示する。本態様によれば、緊急電話の呼び戻しに備えて回線を保留する期間が一定時間に制限されるため、回線リソースの低下を防ぐことができる。
【００１２】
また、本発明に係る管理サーバ装置は、複数の基地局装置それぞれと通信可能に接続され、移動端末からの位置登録要求に基づいて該移動端末が所在する位置登録エリアを管理する管理サーバ装置であって、前記各基地局装置から通知される緊急通話の切断通知に基づいて、前記緊急通話が切断された移動端末の位置登録エリアを特定する端末位置特定手段と、前記端末位置特定手段により特定される位置登録エリアに属する基地局装置に、前記緊急通話の呼び戻しに割り当てる回線の保留を指示する回線保留制御手段と、を含むことを特徴としている。
【００１３】
また、本発明に係る基地局装置は、移動端末からの位置登録要求に基づいて該移動端末が所在する位置登録エリアを管理する管理サーバ装置と通信可能に接続される基地局装置であって、前記管理サーバ装置に緊急通話の切断を通知する緊急通話切断通知手段と、前記管理サーバ装置からの回線保留指示に基づいて、前記緊急通話の呼び戻しに割り当てる回線を保留する回線保留手段と、を含むことを特徴としている。
【００１４】
また、本発明に係る回線保留方法は、移動端末から発信された緊急通話が切断された場合に、該緊急電話の呼び戻しに割り当てる回線を保留するための回線保留方法であって、前記緊急通話が切断された移動端末の位置登録エリアを特定する端末位置特定ステップと、前記端末位置特定ステップで特定される位置登録エリアに属する基地局装置に、前記緊急通話の呼び戻しに割り当てる回線の保留を指示する回線保留指示ステップと、を含むことを特徴としている。
【発明を実施するための最良の形態】
【００１５】
以下、本発明の一実施形態を図面に基づいて詳細に説明する。
【００１６】
図１は、本発明の一実施形態に係る移動通信システム１０の全体構成図である。同図に示すように、移動通信システム１０は、複数の基地局１２（ここでは、１２Ａ−１，１２Ａ−２，１２Ｂ−１，１２Ｂ−２の４つとする。）と、複数の交換機１４（ここでは、１４Ａ，１４Ｂの２つとする。）と、管理サーバ１６と、を含んで構成されている。
【００１７】
基地局１２は、アンテナを備え、自無線ゾーン（セル）に在圏する移動端末２０との間で無線信号を送受信する。また、有線伝送路（たとえばＩＳＤＮ：Integrated Service Digital Network）で接続された交換機１４と通信網２２を介して、他の基地局１２または管理サーバ１６との間でメッセージを送受信する。
【００１８】
管理サーバ１６は、ＣＰＵなどのプログラム実行手段と、ＲＡＭ、ＲＯＭ、ハードディスク記憶装置などの記憶手段と、を含む公知のサーバコンピュータであり、移動端末２０の所在位置を特定するための最小単位である「位置登録エリア」を移動端末２０ごとに管理するものである。位置登録エリアは、１または複数の基地局１２の無線ゾーンから構成されており、移動端末２０への着信があった時にその移動端末２０が所在する位置登録エリアに属するすべて基地局１２が一斉に呼出し（着呼通知）を行うため、「一斉呼出エリア」とも呼ばれている。
【００１９】
移動端末２０は、最寄りの基地局１２から報知される位置登録エリア番号を定期的に受信しており、受信される位置登録エリア番号が変化するたびに、その位置登録エリア番号と自局の電話番号を含む位置登録要求を管理サーバ１６に通知する。管理サーバ１６は、移動端末２０から送信される位置登録要求に基づいて、該移動端末２０の位置登録エリアを更新する。この一連の処理を「位置登録」といい、これにより、刻々と変化する移動端末２０の所在位置が位置登録エリア単位で追跡できるようになっている。
【００２０】
本移動通信システム１０では、移動端末２０から電話（緊急通報用）１８に発信された緊急通話が異常切断されると、その旨が、その移動端末２０と無線通信をしていた基地局１２から管理サーバ１６に通知される。管理サーバ１６は、その通知に基づいて緊急通話が切断された移動端末２０の位置登録エリアを特定し、特定した位置登録エリアに属するすべての基地局１２に、電話１８からの緊急通話の呼び戻しに備えて回線を保留するよう指示する。その後、移動端末２０が異なる位置登録エリアに移動すると、それに伴い実行される位置登録に基づいて、管理サーバ１６は移動端末２０が属する新たな位置登録エリアを特定し、その新たな位置登録エリアに属するすべての基地局１２に対して、同様の回線保留を指示する。このようにして、移動通信システム１０では、緊急通話の切断後に、発信元であった移動端末２０がどこに移動しようとも、電話１８からの緊急通話の呼び戻しが確実に成功するようになっている。
【００２１】
以下では、上記処理を実現するために基地局１２および管理サーバ１６が備える構成についてより詳細に説明する。
【００２２】
図２は、基地局１２のブロック図である。同図に示すように、基地局１２は、無線通信状態管理部３０、無線メッセージ送受信部３２、有線メッセージ送受信部３４、無線リソース３６、有線リソース３８、呼管理部４０、電話番号特定部４２、タイマ管理部４４を含んで構成されている。
【００２３】
無線通信状態管理部３０は、移動端末２０との無線通信状態を接続開始から切断までの間常時監視し、通信状態の変化を呼管理部４０に随時通知するものである。たとえば無線通信が切断されると、その旨を直ちに呼管理部４０に通知する。
【００２４】
無線メッセージ送受信部３２は、アンテナを備えており、そのアンテナで受信される無線信号を無線受信メッセージに変換し、呼管理部４０に出力する。また、呼管理部４０から入力される無線送信メッセージを無線信号に変換し、アンテナから送信する。たとえば、無線制御チャネルを用いて、移動端末２０を呼び出すための着呼通知や通信終了を知らせる着呼終了通知を送信したり、当該基地局１２が属する位置登録エリアを示す位置登録エリア番号を定期的に送信したり、移動端末２０から着呼応答などを受信したりする。
【００２５】
有線メッセージ送受信部３４は、有線伝送路で接続された交換機１４を介して通信網２２と接続されており、通信網２２からの受信信号を有線受信メッセージに変換し、呼管理部４０に出力する。また、呼管理部４０から入力される有線送信メッセージを送信信号に変換し、通信網２２に送信する。たとえば、管理サーバ１６からの回線保留開始指示や回線保留解除指示、交換機１４からの着呼通知や着呼終了通知などを受信したり、緊急通話切断通知や回線保留開始通知などを管理サーバ１６に送信したりする。
【００２６】
呼管理部４０は、無線通信および有線通信の接続から切断（保留状態を含む。）に至る一連の処理を管理するものである。具体的には、移動端末２０との無線通信に用いる無線リソース３６および交換機１４との有線通信に用いる有線リソース３８の使用状態に応じて、回線の割り当てを制御する。たとえば、着呼通知送信後に移動端末２０から着呼応答を受信すると、その呼に回線を割り当てるために、当該移動端末２０の識別番号（たとえば電話番号）と上記両回線リソースの識別番号とを関連づけて記憶する。この時、無線リソース３６および有線リソース３８のいずれか一方にでも空きが無ければ、回線を割り当てることができず通信接続は確立されない。一方、通信網２２から着呼終了通知を受信すると、当該呼に割り当てた回線を開放するために移動端末２０の識別番号と上記両リソースの識別番号とを関連づけを解除する。
【００２７】
また、呼管理部４０は、無線通信状態管理部３０から無線通信が異常切断された旨の通知を受けると、切断された通信を識別する通信識別番号を電話番号特定部４２に通知し、電話番号特定部４２から当該通信の発信元および発信先の電話番号を取得する。そして、当該通信が移動端末２０から発せられた緊急通話であった場合（たとえば、発信先の電話番号が「１１０」、「１１８」、「１１９」などであった場合）には、発信元の電話番号を含む緊急通話切断通知を管理サーバ１６に送信する。
【００２８】
また、呼管理部４０は、管理サーバ１６から回線保留開始指示を受信すると、回線保留開始指示に含まれる電話番号を含む着呼通知を自無線ゾーンに向けて送信し、着呼応答の返信有無に応じて、その電話番号に対応する移動端末２０が自無線ゾーンに在圏するか否かを確認する。そして、在圏が確認された場合に限り、上記回線保留開始指示に含まれる電話番号を緊急通話の呼び戻し待ち番号として記憶するとともに、緊急通話の呼び戻しに割り当てる１回線を保留して、使用可能な無線リソース３６および有線リソース３８の数をそれぞれ１つずつ減じる。また、回線を保留すると同時に、上記回線保留開始指示に含まれる電話番号を含む回線保留開始通知を管理サーバ１６に返信するとともに、後述するタイマ管理部４４にタイマのカウント開始を指示する。その後、タイマ管理部４４から一定周期で発生するタイマイベントが通知されるたびに、上記移動端末２０が自無線ゾーンにまだ在圏しているか否かを確認し、回線保留の継続要否を判断する。すなわち、在圏が確認されれば、回線保留を継続し、在圏が確認されなければ、当該移動端末２０が自無線ゾーン外に移動したものと判断して回線の保留を解除し、その移動端末２０の電話番号を含む端末移動通知を管理サーバ１６に送信する。なお、管理サーバ１６から回線保留解除指示を受信した場合にも、呼管理部４０は回線の保留を解除する。
【００２９】
電話番号特定部４２は、呼管理部４０から通知された通信識別番号に基づいて、その通信識別番号により識別される通信の発信元番号および発信先番号を特定し、特定した電話番号を呼管理部４０に通知するものである。
【００３０】
タイマ管理部４４は、呼管理部４０の指示に従ってタイマのカウントを開始または停止し、カウント開始から終了までの間、一定周期で発生するタイマイベントを呼管理部４０に通知するものである。
【００３１】
図３は、管理サーバ１６のブロック図である。同図に示すように、管理サーバ１６は、メッセージ送受信部５０、端末移動管理部５２、位置情報データベース５４、回線保留制御部５６を含んで構成されている。
【００３２】
メッセージ送受信部５０は、有線伝送路を介して通信網２２と接続されており、通信網２２からの受信信号を受信メッセージに変換し、端末移動管理部５２または回線保留制御部５６に出力する。また、端末移動管理部５２または回線保留制御部５６から入力される送信メッセージを送信信号に変換し、通信網２２に送信する。たとえば、移動端末２０からの位置登録要求、基地局１２からの緊急通話切断通知や回線保留開始通知などを受信したり、回線保留開始指示や回線保留解除指示を基地局１２に送信したりする。
【００３３】
端末移動管理部５２は、移動端末２０の所在位置を特定するための位置登録エリアを移動端末２０ごとに管理するものである。すなわち、移動端末２０から送信される位置登録要求に基づいて、その位置登録要求に含まれる電話番号と位置登録エリア番号とを関連づけて位置情報データベース５４に登録する。また、交換機１４からの端末位置取得要求に応じて、その要求に含まれる電話番号に関連づけられた位置情報エリア番号を位置情報データベース５４から読み出し、交換機１４に返信する。
【００３４】
また、端末移動管理部５２は、上記位置登録要求に応じて、その要求に含まれる電話番号を含む位置登録通知を後述する回線保留制御部５６に通知する。これにより、回線保留制御５６は、移動端末２０から新たな位置登録要求があった（移動端末２０が新たな位置登録エリアに移動した）ことを認識する。
【００３５】
位置情報データベース５４は、たとえばハードディスク記憶装置を含んで構成され、移動端末２０の電話番号とその移動端末２０が所在する位置登録エリア番号とを関連づけて記憶する。また、位置登録エリア番号に関連づけて、その位置登録エリア番号で識別される位置登録エリアに属する基地局１２の基地局識別番号を記憶している。
【００３６】
回線保留制御部５６は、移動通信システム１０における回線の保留制御を行うものであり、特に、移動端末２０から発信された緊急通話が異常切断された場合に、その緊急通話の呼び戻しが確実に成功するように回線リソースを確保するものである。
【００３７】
すなわち、回線保留制御部５６は、基地局１２から緊急通話切断通知を受信すると、その通知に含まれる電話番号を緊急通話の呼び戻し待ち番号として記憶するとともに、その電話番号に基づいて位置登録データベース５４から位置登録エリア番号を取得する。そして、取得した位置登録エリア番号に基づいて、位置登録データベース５４から１または複数の基地局識別番号を取得する。その後、取得した基地局識別番号により識別される基地局１２に対して、上記電話番号を含む回線保留指示を送信する。こうして回線保留制御部５６は、緊急通話が切断された移動端末２０が所在する位置登録エリアに属する１または複数の基地局１２に対して、緊急通話の呼び戻しに割り当てる回線を保留するよう指示する。
【００３８】
なお、回線保留制御部５６は、回線の保留を指示すると同時に保留タイマのカウントを開始し、回線保留指示の送信から一定時間内に、その指示に含まれる電話番号を含む回線保留開始通知をいずれの基地局１２からも受信できなければ、回線の保留に失敗したものと判断し、同じ基地局１２に対して回線保留指示を再送信する。また、ある基地局１２から回線保留開始通知を受信した場合であっても、その後に該基地局１２から端末移動通知（緊急通話が切断された移動端末２０が自無線ゾーン外に移動したため回線の保留を解除した旨の通知）が通知された場合には、上記回線保留指示を再送信して、同じ位置登録エリアに属する他の基地局１２に回線を保留させるよう試みる。
【００３９】
また、回線保留制御部５６は、端末移動管理部５２から位置登録通知を受けると、その通知に含まれる電話番号が記憶している緊急通話の呼び戻し待ち番号に該当するか否かを確認する。そして、その電話番号が緊急通話の呼び戻し待ち番号に該当する場合には、緊急通話が切断された移動端末２０が新たな位置登録エリアに移動したものと判断して、その位置登録エリアに属する基地局１２に回線保留通知を送信する。すなわち、回線保留制御部５６は、端末移動管理部５２から通知された電話番号に基づき、緊急通話が切断された移動端末２０が所在する新たな位置登録エリアを特定し、特定した位置登録エリアに属する１または複数の基地局１２に対して、緊急通話の呼び戻しに割り当てる回線を保留するよう指示する。
【００４０】
こうして、回線保留制御部５６は、移動端末２０から発信された緊急通話が異常切断された場合に、発信元であった移動端末２０がどの位置登録エリア内のどの無線ゾーンに移動しようとも、その緊急通話の呼び戻しが確実に成功するようにしている。なお、回線保留制御部５６は、最初の回線保留指示を送信した際にカウントを開始した保留タイマがシステムで定められた回線保留上限時間に達すると、回線を保留している基地局１２に対して回線保留解除通知を送信するとともに、緊急通話の呼び戻し待ち番号として記憶していた電話番号を削除して、当該緊急通話の呼び戻しに係る回線保留の制御を終了する。
【００４１】
ここで、移動通信システム１０において、緊急通話の異常切断が発生した場合に実行される一連の回線保留処理を図４〜６に基づいて説明する。なお、図４〜６では、交換機１４Ａに接続される基地局１２Ａ−１と１２Ａ−２とが位置登録エリアＡに、交換機１４Ｂに接続される基地局１２Ｂ−１と１２Ｂ−２とが位置登録エリアＢに、それぞれ属しているものとする。
【００４２】
図４は、移動端末２０から発信された緊急通話の異常切断が発生した直後の回線保留処理シーケンスを示す図である。同図に示すように、移動端末２０と緊急通報用の電話１８との間で緊急通話が行われている最中に、移動通信２０と基地局１２Ａ−１との間の無線通信が異常切断されると（Ｓ１００）、基地局１２Ａ−１は、移動端末２０の電話番号を含む緊急通話切断通知を管理サーバ１６に送信する（Ｓ１０２）。管理サーバ１６では、緊急通話切断通知に基づいて移動通信２０が位置登録エリアＡに所在することを特定し、位置登録エリアＡに属する基地局１２Ａ−１と１２Ａ−２に回線保留開始指示を送信する（Ｓ１０４）。
【００４３】
管理サーバ１６から回線保留開始指示を受信した基地局１２Ａ−１と１２Ａ−２は、その指示に基づいて移動端末２０の電話番号を含む着呼通知をそれぞれの無線ゾーンに送信する（Ｓ１０６）。この時、基地局１２Ａ−１の無線ゾーンに在圏している移動端末２０は、基地局１２Ａ−１からの着呼通知を受信し、それに応じて着呼応答を返信する（Ｓ１０８）。移動端末２０からの着呼応答を受信した基地局１２Ａ−１は、回線リソース（無線リソースおよび有線リソース）の使用状態に基づいて、割り当て可能な回線リソース（ここではリソースＢとする。）を保留し、回線保留を開始した旨を管理サーバ１６に通知する（Ｓ１１０）。
【００４４】
図５は、図４におけるＳ１１０の後に、移動端末２０が同一位置登録エリア（位置登録エリアＡ）の異なる無線ゾーンに移動した場合の回線保留処理シーケンスを示す図である。同図に示すように、回線保留を開始した基地局１２Ａ−１は、一定周期で移動端末２０の電話番号を含む着呼通知を送信し、移動端末２０が自無線ゾーンにまだ在圏しているか否かを確認する（Ｓ２００）。ここで、移動端末２０が隣接する無線ゾーン（基地局１２Ａ−２の無線ゾーン）に移動すると（Ｓ２０２）、基地局１２Ａ−１は着呼通知を送信しても移動端末２０からの着呼応答を受信することができない。この場合、基地局１２Ａ−１は、回線リソースＢの保留を解除し、移動端末２０からの着呼応答がない旨（移動端末２０が自無線ゾーン外に移動した旨）を管理サーバに送信する（Ｓ２０４）。管理サーバ１６は、基地局１２Ａ−１から着呼応答がない旨を通知されると、位置登録エリアＡに属する基地局１２Ａ−１と１２Ａ−２に回線保留開始指示を再送信する（Ｓ２０６）。
【００４５】
管理サーバ１６から回線保留開始指示を受信した基地局１２Ａ−１と１２Ａ−２は、その指示に基づいて移動端末２０の電話番号を含む着呼通知をそれぞれの無線ゾーンに送信する（Ｓ２０８）。この時、基地局１２Ａ−２の無線ゾーンに在圏している移動端末２０は、基地局１２Ａ−２からの着呼通知を受信し、それに応じて着呼応答を返信する（Ｓ２１０）。移動端末２０からの着呼応答を受信した基地局１２Ａ−２は、回線リソースの使用状態に基づいて、割り当て可能な回線リソース（ここではリソースＢとする。）を保留する。このように、緊急通話の異常切断後に、移動端末２０が同じ位置登録エリアの異なる無線ゾーンに移動しても、緊急電話の呼び戻しは確実に成功するようになっている。
【００４６】
図６は、図５におけるＳ２１０の後に、移動端末２０が異なる位置登録エリア（位置登録エリアＢ）に移動した場合の回線保留処理シーケンスを示す図である。同図に示すように、移動端末２０が位置登録エリアＡから位置登録エリアＢに移動すると（Ｓ３００）、移動端末２０は管理サーバ１６に対して位置登録を行う（Ｓ３０２）。管理サーバ１６は、移動端末２０からの位置登録要求により移動端末２０が位置登録エリアＢに移動したことを認識する。そして、回線の保留が不要となった基地局１２Ａ−２に対して回線保留解除指示を送信する（Ｓ３０４）。管理サーバ１６から回線保留解除指示を受信した基地局１２Ａ−２は、その指示に基づいて回線リソース（リソースＢ）の保留を解除する。同時に、管理サーバ１６は、移動端末２０の移動先である位置登録エリアＢに属する基地局１２Ｂ−１と１２Ｂ−２に回線保留開始指示を送信する（Ｓ３０６）。
【００４７】
管理サーバ１６から回線保留開始指示を受信した基地局１２Ｂ−１と１２Ｂ−２は、その指示に基づいて移動端末２０の電話番号を含む着呼通知をそれぞれの無線ゾーンに送信する（Ｓ３０８）。この時、基地局１２Ｂ−１の無線ゾーンに在圏する移動端末２０は、基地局１２Ｂ−１からの着呼通知を受信し、それに応じて着呼応答を返信する（Ｓ３１０）。移動端末２０からの着呼応答を受信した基地局１２Ｂ−１は、回線リソースの使用状態に基づいて、割り当て可能な回線リソース（ここではリソースＡとする。）を保留する。このように、緊急通信の異常切断後に、移動端末２０が異なる位置登録エリアに移動しても、緊急電話の呼び戻しは確実に成功するようになっている。
【００４８】
以上説明した実施形態によれば、移動端末２０から緊急通報用の電話１８に発信された緊急通話が異常切断されると、発信元であった移動端末２０の移動に応じて、その緊急通話の呼び戻しに割り当てる回線を保留する基地局１２が順次変更されるので、移動端末２０がどこに移動しようとも、電話１８からの緊急通話の呼び戻しは確実に成功するようになる。
【００４９】
なお、本発明は、上記実施形態に限定されるものではなく、種々の変形実施が可能である。たとえば、以上の説明では、管理サーバ１６が位置登録エリア管理や回線保留制御などの機能を備えた例を示したが、各交換機１４または連携動作可能な複数の交換機１４がこれらの機能を備えるようにしてもよい。
【００５０】
また、上記実施形態では、同じ基地局１２に接続される基地局１２が同じ位置登録エリアに属していたが、同じ交換機１４に接続される基地局１２が異なる位置登録エリアに属してもよいし、異なる交換機１４に接続された基地局１２が同じ位置登録エリアに属してもよいことは言うまでもない。
【図面の簡単な説明】
【００５１】
【図１】本発明の実施形態に係る移動通信システムの全体構成図である。
【図２】本発明の実施形態に係る基地局のブロック図である。
【図３】本発明の実施形態に係る管理サーバのブロック図である。
【図４】緊急通話の異常切断が発生した直後の回線保留処理シーケンスを示す図である。
【図５】移動端末が同一位置登録エリア内の異なる無線ゾーンに移動した場合の回線保留処理シーケンスを示す図である。
【図６】移動端末が異なる位置登録エリアに移動した場合の回線保留処理シーケンスを示す図である。
【符号の説明】
【００５２】
１０  移動通信システム、１２  基地局、１４  交換機、１６  管理サーバ、１８  電話（緊急通報用）、２０  移動端末、２２  通信網、３０  無線通信状態管理部、３２  無線メッセージ送受信部、３４  有線メッセージ送受信部、３６  無線リソース、３８  有線リソース、４０  呼管理部、４２  電話番号特定部、４４  タイマ管理部、５０  メッセージ送受信部、５２  端末移動管理部、５４  位置情報データベース、５６  回線保留制御部。
【図１】
2008211532.tif 000003
【図２】
2008211532.tif 000004
【図３】
2008211532.tif 000005
【図４】
2008211532.tif 000006
【図５】
2008211532.tif 000007
【図６】
2008211532.tif 000008